(57)【要約】      （修正有）【課題】  排水溝の直上に防護柵設備などの障害物が存在する場合でも、排水溝の底部に堆積した土砂等をすくい上げることができる排水溝清掃用バケットを提供する。【解決手段】通常バケット１２の切刃先端に所定の間隔で設けられる複数の嵌入部１３ａが嵌着固定される複数の嵌合凹部と、その複数の嵌合凹部が形設され、通常バケット１２の横幅方向と同一方向に延設される支持部材４と、その支持部材４の延設方向一端側に固定され、垂直中心線が通常バケット１２の垂直中心線に比べて支持部材４の延設方向一方側へ偏移され、この偏移により通常バケット１２の横幅方向一端側よりも外方に全体が配置され、かつ、横幅が排水溝へ挿入可能に形成されるバケット部材２とを備えている。【選択図】図１
0003156529.tif 000002
【実用新案登録請求の範囲】
【請求項１】
作業機械における水平方向及び垂直方向に移動可能なアーム先端に装着される通常バケットに対して着脱可能に装着され、排水溝の底部に堆積した土砂その他の堆積物をすくい上げるために使用される排水溝清掃用バケットにおいて、
通常バケットの切刃先端に所定の間隔で設けられる複数の嵌入部が嵌着固定される複数の嵌合凹部と、
その複数の嵌合凹部が形設され、通常バケットの横幅方向と同一方向に延設される支持部材と、
その支持部材の延設方向一端側に固定され、垂直中心線が通常バケットの垂直中心線に比べて前記支持部材の延設方向一方側へ偏移され、この偏移により通常バケットの横幅方向一端側よりも外方に全体が配置され、かつ、横幅が排水溝へ挿入可能に形成されるバケット部材とを備えていることを特徴とする排水溝清掃用バケット。
【請求項２】
前記バケット部材は、その横幅方向両側にある一対の側板と、その一対の側板の間に設けられる底板と、その底板の下端部に設けられ土砂等に食い込ませる切板とを備えており、その切板は、その先端の横幅方向両端部が排水溝の底部の断面形状に適合した形状に形成されていることを特徴とする請求項１記載の排水溝清掃用バケット。
【請求項３】
路面にある水を排水するために防護柵設備の設置場所内側の地面に凹設される排水溝であって、その防護柵設備の直下に配設されかつ通常バケットを上方から挿入する状態でその防護柵設備が障害となるものから、堆積した土砂等をすくい上げるために使用される排水溝清掃用バケットであって、
前記バケット部材は、前記通常バケットの前記嵌入部を前記嵌合凹部に嵌着固定することにより前記支持部材を介して通常バケットの切刃先端に固定されるとともに、作業機械のアームの垂直下降により当該バケット部材の先端部にある切板が路面に近づけられ、その位置から作業機械のアームが防護柵設備側へ向けて水平移動されて通常バケットが防護柵の側面近傍まで水平移動されることで防護柵と路面との間を通過して排水溝の直上へと移動され、その排水溝の直上位置から鉛直下方へ作業機械のアームを移動させることにより排水溝内へ挿入されて堆積する土砂等をすくい上げるものであることを特徴とする請求項１又は２記載の排水溝清掃用バケット。
【請求項４】
路面にある水を排水するために防護柵設備の設置場所内側の地面に凹設される排水溝であって、その防護柵設備の直下に配設されかつ通常バケットを上方から挿入する状態でその防護柵設備が障害となるものから、堆積した土砂等をすくい上げるために使用される作業機械において、
切刃先端に所定の間隔で設けられる複数の嵌入部を有する通常バケットと、
その通常バケットが先端に装着され、水平方向及び垂直方向に移動可能なアームと、
請求項１又は２記載の排水溝清掃用バケットとを備えており、
前記バケット部材は、前記通常バケットの前記嵌入部を前記嵌合凹部に嵌着固定することにより前記支持部材を介して通常バケットの切刃先端に固定されるとともに、前記アームの垂直下降により当該バケット部材の先端部にある切板が路面に近づけられ、その位置から前記アームが防護柵設備側へ向けて水平移動されて前記通常バケットが防護柵の側面近傍まで水平移動されることでその防護柵と路面との間を通過して排水溝の直上へと移動され、その排水溝の直上位置から鉛直下方へ前記アームを移動させることにより排水溝内へ挿入されて堆積する土砂等をすくい上げるものであることを特徴とする作業機械。
【考案の詳細な説明】
【技術分野】
【０００１】
本考案は、排水溝の底部に堆積した土砂その他の堆積物（以下、「土砂等」という。）をすくい上げるためのもの排水溝清掃用バケットに関するものである。
【背景技術】
【０００２】
従来、高速道路など自動車用道路には、両側の走行車線を分離するための中央分離帯が備えられているものがある。また、このような自動車用道路では、車両走行の支障になる路面にある雨水などの水を排水するための排水溝が設けられている。
【０００３】
例えば、このような排水溝は、走行車線を走行する車両の車輪が落ち込むことを防止するため、ガードレールなどの防護柵設備で囲われた中央分離帯の内側の地面に凹設されている。
【考案の概要】
【考案が解決しようとする課題】
【０００４】
しかしながら、上記したように排水溝が中央分離帯の内側の地面に凹設される場合、かかる排水溝の直上には、ガードレールのビーム及び支柱ブラケットその他防護柵設備用の部材が配設されることがある（図５参照。）。
【０００５】
このため、作業機械のアーム先端にバケット（後述する通常バケットに相当する。）を取り付けて、当該バケットを排水溝内へ向けて垂直下降させて挿入しようとすれば、例えば、ガードレールのビーム及び支柱ブラケット等が障害（邪魔）となってしまう。
【０００６】
したがって、作業機械のアーム先端にバケットを直接取り付けただけでは、ガードレールのビーム及び支柱ブラケット等の障害物の真下にある排水溝内へ、そのバケットを挿入し、そこに堆積した土砂等をすくい上げて除去できないという問題点があった。
【０００７】
本考案は、上述した問題点を解決するためになされたものであり、排水溝の直上に防護柵設備などの障害物が存在する場合でも、排水溝の底部に堆積した土砂等をすくい上げることができる排水溝清掃用バケットを提供することを目的としている。
【課題を解決するための手段】
【０００８】
この目的を達成するために、請求項１の排水溝清掃用バケットは、作業機械における水平方向及び垂直方向に移動可能なアーム先端に装着される通常バケットに対して着脱可能に装着され、排水溝の底部に堆積した土砂その他の堆積物をすくい上げるために使用されるものであり、通常バケットの切刃先端に所定の間隔で設けられる複数の嵌入部が嵌着固定される複数の嵌合凹部と、その複数の嵌合凹部が形設され、通常バケットの横幅方向と同一方向に延設される支持部材と、その支持部材の延設方向一端側に固定され、垂直中心線が通常バケットの垂直中心線に比べて前記支持部材の延設方向一方側へ偏移され、この偏移により通常バケットの横幅方向一端側よりも外方に全体が配置され、かつ、横幅が排水溝へ挿入可能に形成されるバケット部材とを備えているものである。
【０００９】
請求項２の排水溝清掃用バケットは、請求項１の排水溝清掃用バケットにおいて、前記バケット部材は、その横幅方向両側にある一対の側板と、その一対の側板の間に設けられる底板と、その底板の下端部に設けられ土砂等に食い込ませる切板とを備えており、その切板は、その先端の横幅方向両端部が排水溝の底部の断面形状に適合した形状に形成されているものである。したがって、バケット部の切板の先端の横幅方向両端部を、排水溝の底部横断方向両側にあるコーナー部に合致させて、そのコーナー部にある土砂等を余すことなくすくい取ることができる。
【００１０】
請求項３の排水溝清掃用バケットは、請求項１又は２の排水溝清掃用バケットにおいて、路面にある水を排水するために防護柵設備の設置場所内側の地面に凹設される排水溝であって、その防護柵設備の直下に配設されかつ通常バケットを上方から挿入する状態でその防護柵設備が障害となるものから、堆積した土砂等をすくい上げるために使用される排水溝清掃用バケットであって、前記バケット部材は、前記通常バケットの前記嵌入部を前記嵌合凹部に嵌着固定することにより前記支持部材を介して通常バケットの切刃先端に固定されるとともに、作業機械のアームの垂直下降により当該バケット部材の先端部にある切板が路面に近づけられ、その位置から作業機械のアームが防護柵設備側へ向けて水平移動されて通常バケットが防護柵の側面近傍まで水平移動されることで防護柵と路面との間を通過して排水溝の直上へと移動され、その排水溝の直上位置から鉛直下方へ作業機械のアームを移動させることにより排水溝内へ挿入されて堆積する土砂等をすくい上げるものである。
【００１１】
請求項４の作業機械は、路面にある水を排水するために防護柵設備の設置場所内側の地面に凹設される排水溝であって、その防護柵設備の直下に配設されかつ通常バケットを上方から挿入する状態でその防護柵設備が障害となるものから、堆積した土砂等をすくい上げるために使用されるものであり、切刃先端に所定の間隔で設けられる複数の嵌入部を有する通常バケットと、その通常バケットが先端に装着され、水平方向及び垂直方向に移動可能なアームと、請求項１又は２の排水溝清掃用バケットとを備えており、前記バケット部材は、前記通常バケットの前記嵌入部を前記嵌合凹部に嵌着固定することにより前記支持部材を介して通常バケットの切刃先端に固定されるとともに、前記アームの垂直下降により当該バケット部材の先端部にある切板が路面に近づけられ、その位置から前記アームが防護柵設備側へ向けて水平移動されて前記通常バケットが防護柵の側面近傍まで水平移動されることでその防護柵と路面との間を通過して排水溝の直上へと移動され、その排水溝の直上位置から鉛直下方へ前記アームを移動させることにより排水溝内へ挿入されて堆積する土砂等をすくい上げるものである。
【考案の効果】
【００１２】
本考案の排水溝清掃用バケットによれば、排水溝の直上に防護柵設備などの障害物が存在する場合、例えば、排水溝の直上にガードレールのビーム及び支柱ブラケットが配設され、これらのガードレール又は支柱ブラケットの少なくとも一方が通常バケットを上方から挿入する状態で障害となる場合であっても、通常バケットに既存の嵌入部を嵌合凹部に嵌着固定することで、バケット部材を支持部材を介して通常バケットの切刃先端に容易に固定することができ、かかるバケット部材により排水溝内に堆積する土砂等をすくい上げることができるという効果がある。
【００１３】
具体的には、上記のようにバケット部材を通常バケットに装着した状態で、その通常バケットを有している作業機械のアームが垂直下降されることにより、バケット部材の先端部にある切板が路面に近づけられ、その位置からアームがガードレール側へ向けて水平移動される。すると、通常バケットがガードレールのビームの側面近傍まで水平移動され、これに伴ってバケット部材がガードレールのビームと路面との間を通過して排水溝の直上へと移動され、その排水溝の直上位置から鉛直下方へ前記アームを移動させることにより、バケット部材が排水溝内へ挿入されて堆積する土砂等がすくい上げられるのである。
【図面の簡単な説明】
【００１４】
【図１】本考案の一実施例である溝用バケット及び通常バケットの正面図であって、溝用バケットが通常バケットから取り外された状態を図示したものである。
【図２】溝用バケットの平面図である。
【図３】図１のＩＩＩ−ＩＩＩ線における断面図であって、主としてアダプタ及びポイントの断面図である。
【図４】（ａ）は、溝用バケットの右側面図であり、（ｂ）は、溝用バケットの左側面図であり、（ｃ）は、図１のＩＶ（ｃ）−ＩＶ（ｃ）線における縦断面図であって、主として溝用バケットのバケット部の断面図である。
【図５】溝用バケットを通常バケットに取り付けた状態及び、かかる溝用バケットを排水溝内に挿入した状態を示した図である。
【考案を実施するための形態】
【００１５】
以下、添付図面を参照して、本考案の好ましい実施例（実施の形態）について説明する。本考案の排水溝清掃用バケットの一本実施例である溝用バケットは、バックホウ、油圧ショベルその他の作業機械のアーム先端に装着されて掘削に用いられるバケット（以下「通常バケット」という。）に着脱可能に装着されて使用されるバケットユニットである。
【００１６】
図１は、本考案の一実施例である溝用バケット１及び通常バケット１２の正面図であり、溝用バケット１が通常バケット１２から取り外された状態を図示したものである。
【００１７】
図１に示すように、通常バケット１２は、主に、そのバケット本体１２ａと、そのバケット本体１２ａに設けられ地盤を掘削する平板状の切刃１２ｂと、その切刃１２ｂにおける先端の横幅方向（図１左右方向）に所定の間隔で溶接固定される複数のアダプタ１３とを備えている。アダプタ１３は、バケット本体１２ａに各種の器具を装着するためのものであり、後述するポイント５に対して着脱自在に嵌着されるものである。
【００１８】
このアダプタ１３は、その基端部が切刃１２ｂに溶接されており、その先端部に尖形状の嵌入部１３ａが形成されている。また、各アダプタ１３の嵌入部１３ａには、ポイント５を固定するための縦ピンＰを係入可能な縦ピン孔１３ｂが厚み方向（図１の紙面に対する垂直方向）に貫通形成されている。
【００１９】
溝用バケット１は、主に、バケット部２と、装着ユニット部３とを備えている。溝用バケット１のバケット部２は、Ｕ字溝などの排水溝２０（図５参照。以下同じ。）内へ挿入されて、その排水溝２０の底部に堆積した土砂その他の堆積物（「土砂等」ともいう。）をすくい上げるためのものである（図５参照。）。
【００２０】
このバケット部２は、その横幅方向（図１左右方向）両側にある一対の側板２ａ，２ａの間に底板２ｂが設けられており、この底板２ｂの下端部に土砂等に食い込ませる切板２ｃが設けられている。この切板２ｃは、その先端における横幅方向（図１左右方向）両端部がＵ字溝の底部の断面形状に適合するように円弧状に円みが付けられた形状となっている。
【００２１】
このため、溝用バケット１のバケット部２を排水溝２０内へ挿入した場合に、そのバケット部２の切板２ｃの先端の横幅方向両端部を、排水溝２０の底部における横断方向両側にある湾曲面状のコーナー部に合致させることができ、かかる部分にある土砂等を余すことなくすくい取ることができる。
【００２２】
装着ユニット部３は、通常バケット１２の横幅方向中心を通る垂直線（「垂直中心線」ともいう。）Ｌ１に対して、バケット部２の横幅方向中心を通る垂直中心線Ｌ２を、当該横幅方向一方側へ偏移（オフセット）させることによって、通常バケット１２の横幅方向一端側よりも外方にバケット部２の全体を配置させた状態で、当該バケット部２を通常バケット１２の切刃１２ｂの先端部に装着するためのものである。
【００２３】
具体的には、溝用バケット１が通常バケット１２に装着ユニット部３を介して装着された場合、バケット部２は、その垂直中心線Ｌ２が通常バケット１２の垂直中心線Ｌ１に対し、その通常バケット１２の横幅方向一方側（図１右側）に距離Ｌだけ偏移（オフセット）される。そして、バケット部２の偏移量に相当する距離Ｌは、通常バケット１２の横幅Ｗに当該バケット部２の横幅Ｗａを加えた長さを１／２倍したものを超えている（Ｌ＞（Ｗ＋Ｗａ）／２）。
【００２４】
この装着ユニット部３は、通常バケット１２の横幅方向と同一方向（図１の左右方向）に延設され、正面視横長の長方形状に形成される支持板４を備えている。この支持板４は、その延設方向（通常バケット１２の横幅方向と同一方向）の一端（図２右側）がバケット部２における一対の側板２ａ，２ａのうち横幅方向片側（図２左側）にあるものと溶接固定されている。
【００２５】
また、この支持板４には、その延設方向に通常バケット１２のアダプタ１３の間隔と等間隔で、当該アダプタ１３の個数に等しい数のポイント５が形設されている。これらの複数のポイント５は、通常バケット１２のアダプタ１３が嵌着されるためのものであり、かかる嵌着のために各ポイント５の上端部（図１上側）には開口部が形成されている（図２参照。）。
【００２６】
図２は、溝用バケット１の平面図である。図２に示すように、バケット部２は、その一対の側板２ａ，２ａの縁端部２ａ２，２ａ２が底板２ｂの外面よりも外方に所定幅ｔだけ突出されている。このため、排水溝２０内に挿入された場合、溝用バケット１のバケット部２は、各側板２ａの縁端部２ａ２が排水溝２０の底面と直接接触する格好となり、バケット部２の底板２ｂが排水溝２０の底面と直接接触して摩耗損傷することが防止される。
【００２７】
装着ユニット部３は、その支持板４が肉厚状に形成されており、複数のポイント５が支持板４の正面側（図２下側）の面に形設されている。複数のポイント５には、その上端部（図１上側、図２の紙面に対する手前側）に開口部が形成されており、その内部に当該開口部と連通するとともにアダプタ１３の嵌入部１３ａを嵌着可能な嵌合凹部５ａが設けられている。
【００２８】
図３は、図１のＩＩＩ−ＩＩＩ線における断面図であって、主としてアダプタ１３及びポイント５の断面図である。
【００２９】
図３に示すように、各ポイント５には、その正面から嵌合凹部５ａを経て背面まで貫通する縦ピン孔５ｂが貫通形成されている。通常バケット１２のアダプタ１３が溝用バケット１のポイント５に挿入されて嵌着された場合、この縦ピン孔５ｂは、アダプタ１３の縦ピン孔１３ｂと合致してこれと一続きに連通するものである。
【００３０】
このようにアダプタ１３の縦ピン孔１３ｂとポイント５の縦ピン孔５ｂとが一続きに連通したのものに対して縦ピンＰを嵌挿することで、アダプタ１３及びポイント５同士を連結でき、溝用バケット１を通常バケット１２の切刃１２ｂの先端部に一体的に装着固定することができる。
【００３１】
図４（ａ）は、溝用バケット１の右側面図であり、図４（ｂ）は、溝用バケット１の左側面図であり、図４（ｃ）は、図１のＩＶ（ｃ）−ＩＶ（ｃ）線における縦断面図であって、主として溝用バケット１のバケット部２の断面図である。
【００３２】
図４（ａ）及び図４（ｂ）に示すように、溝用バケット１のバケット部２は、全体として側面視Ｄ字形の輪郭を有している。バケット部２の各側板２ａは、その前側の縁端部２ａ１（図４（ａ）左側、図４（ｂ）右側）が縦方向に直線状に延びる平面となっており、残りの縁端部（以下「湾曲縁端部」ともいう。）２ａ２については前側の縁端部２ａ１の上端から下端にかけて大きく弓形状に湾曲した湾曲面となっている。
【００３３】
図４（ｃ）に示すように、バケット部２の底板２ｂは、側板２ａの湾曲縁端部２ａ２に沿って、当該湾曲縁端部２ａ２より所定幅ｔだけ内側に設けられている。このように所定幅ｔの分だけバケット部２の底板２ｂが側板２ａの湾曲縁端部２ａ２から浮き上がった格好となるので、上記したように、当該底板２ｂが排水溝２０の底面と直接接触することが回避されるのである。
【００３４】
また、バケット部２の湾曲形成された底板２ｂの下側の端部には、バケット部２の切板２ｃの基端部が溶接により固定されている。このバケット部２の切板２ｃは、その基端部から先端部にかけて肉厚が漸減されており、その先端部が断面視尖形状となっている。かかる切板２ｃを排水溝２０内に堆積した土砂等へ食い込みやすくするためである。
【００３５】
また、この切板２ｃの上面は、バケット部２の底板２ｂの内面と面一とされており、当該底板２ｂの下側内面の傾きθと同一角度とされている。また、切板２ｃの下面は、一対の側板２ａ，２ａの湾曲縁端部２ａ２と面一とされており、バケット部２の底板２ｂが排水溝２０の底面に直接接触することが防止されている。
【００３６】
図５は、溝用バケット１を通常バケット１２に取り付けた状態及び、かかる溝用バケット１を排水溝２０内に挿入した状態を示した図である。
【００３７】
図５に示すように、高速道路など中央分離帯３１を有する自動車用道路３０には、その路面３０ａにある雨水などの水が流れ込む排水溝２０が、その中央分離帯３１付近に設けられている。このような排水溝２０は、路面３０ａを通行する車両の車輪が落ち込むことを防止するため、中央分離帯３１の内側に凹設されている。
【００３８】
ここで、排水溝２０の直上には中央分離帯３１に併設される防護柵設備であるガードレール３２のビーム３２ａ（防護柵に相当する。）及び支持ブラケット３２ｂが存在するため、当該排水溝２０内へ作業機械１０の通常バケット１２を直接挿入する際にガードレール３２が邪魔となって排水溝２０内に堆積した土砂等をすくい上げて除去することができない状況にあった。
【００３９】
このような環境において、本実施例の溝用バケット１は、そのバケット部２の高さＨａが通常バケット１２の高さＨに比べて小さく（Ｈａ＜Ｈ）、なおかつ、路面３０ａからガードレール３２のビーム３２ａの下端まで高さＨｂより小さくなっており（Ｈａ＜Ｈｂ）、さらに、バケット部２の横幅Ｗａが排水溝２０の溝幅Ｗｂ以下となっている（Ｗａ≦Ｗｂ）。
【００４０】
次に、図５を参照して、上記のように構成された本実施例の溝用バケット１の使用方法について説明する。
【００４１】
この溝用バケット１によれば、その装着ユニット部３を介して作業機械１０のアーム１１の先端部に装備される通常バケット１２に装着される。そして、この溝用バケット１は、路面３０ａ上に設置される作業機械１０を操作してアーム１１を動作させることにより、そのアーム１１の先端に装着される通常バケット１２と一緒に動かされる。
【００４２】
この溝用バケット１により排水溝２０内の土砂等をすくい上げるには、まず、作業機械１０を操作してアーム１１の動作させることで、通常バケット１２が垂直下方へ下降される。すると、この下降に伴って、通常バケット１２に装着された溝用バケット１のバケット部２も下降される。
【００４３】
そして、バケット部２の切板２ｃが路面３０ａに接触する手前の位置まで下降されると、次に、溝用バケット１は、作業機械１０のアーム１１により通常バケット１２と一緒に中央分離帯３１側へ向けて水平移動される。その結果、通常バケット１２がガードレール３２のビーム３２ａ側面近傍まで移動されると、溝用バケット１のバケット部２は、ガードレール３２のビーム３２ａと路面３０ａとの間を潜るように通過して、排水溝２０の直上へと移動される。
【００４４】
このとき、溝用バケット１のバケット部２は、通常バケット１２に対して水平方向に距離Ｌだけオフセットされ、その距離Ｌが通常バケット１２の横幅Ｗ及びバケット部２の横幅Ｗａの和を１／２倍した長さを越えているので（Ｌ＞（Ｗ＋Ｗａ）／２）、通常バケット１２とガードレール３２のビーム３２ａとを衝突させることなく、溝用バケット１のバケット部２全体をガードレール３２のビーム３２ａと路面３０ａとの間を潜り込ませることができる。
【００４５】
このようにして溝用バケット１のバケット部２がガードレール３２のビーム３２ａと路面３０ａとの間に潜り込むことで、当該バケット２が排水溝２０の直上位置に到達したならば、作業機械１０のアーム１１の動作により通常バケット１２を鉛直下方へ移動させることで、バケット部２を排水溝２０内へ挿入して、当該排水溝２０内に堆積する土砂等をすくい上げることができる。
【００４６】
以上説明したように、本実施例の溝用バケット１によれば、通常バケット１２を水平方向へ移動させると当該通常バケット１２自体が障害物と干渉して作業できないような場所に排水溝２０があったとしても、通常バケット１２を障害物に衝突させずに、障害物と排水溝２０との隙間に潜り込ませて、通常バケット１２の直下から水平方向一方側に離れた位置にある排水溝２０内の土砂等をすくい上げることができる。
【００４７】
以上、実施例に基づき本考案を説明したが、本考案は上記実施例に何ら限定されるものではなく、本考案の趣旨を逸脱しない範囲内で種々の改良変形が可能であることは容易に推察できるものである。
【００４８】
例えば、本実施例では、各アダプタ１３と各ポイント５との連結固定を縦ピンＰにより行ったが、かかる連結固定の手段は必ずしもこれに限定されるものではなく、アダプタ１３の嵌入部１３ａがポイント５の嵌合凹部５ａに嵌着された状態でこれらの横幅方向に貫通する横ピン孔を設け、そこに横ピンを挿入して連結固定するようにしても良い。
【００４９】
また、上記実施例では、防護柵設備としてガードレール３２を例示して説明したが、かかる防護柵設備は必ずしもこれに限定されるものではなく、路面と防護柵との間に溝用ブラケットのブラケット部を水平移動させて挿入可能な隙間があるものであれば、ガードレール以外であっても良い。
【００５０】
また、上記実施例では、防護柵設備の設置場所として中央分離帯３１を例示して説明したが、かかる防護柵設備の設置場所は必ずしもこれに限定されるものではなく、例えば、ガードレールが設置される路側帯など、その他の防護柵設備が設置される場所であっても良い。
【符号の説明】
【００５１】
１              溝用バケット（排水溝清掃用バケット）
２              バケット部（バケット部材）
２ａ，２ａ      一対の側板
２ｂ            底板
２ｃ            切板
３              装着ユニット部
４              支持板（支持部材）
５              ポイント
５ａ            嵌合凹部
１０            作業機械
１１            アーム
１２            通常バケット
１３            アダプタ
１３ａ          嵌入部
１２ｂ          切刃
２０            排水溝
３０ａ          路面
３１            中央分離帯（防護柵設備の設置場所）
３２            ガードレール（防護柵設備）
３２ａ          防護柵
Ｌ１            通常バケットの垂直中心線
Ｌ２            バケット部の垂直中心線（バケット部材の垂直中心線）
Ｗａ            バケット部の横幅（バケット部材の横幅）
【図１】
0003156529.tif 000003
【図２】
0003156529.tif 000004
【図３】
0003156529.tif 000005
【図４】
0003156529.tif 000006
【図５】
0003156529.tif 000007